【事件の表示】
　特願２０１６−　４８７０９「不連続受信時の適応的隣接セルサーチ持続時間における省電力の方法及び装置」拒絶査定不服審判事件〔平成２８年　８月２５日出願公開、特開２０１６−１５４３４３〕について、次のとおり審決する。
【結　論】
　本件審判の請求は、成り立たない。
【理　由】
第１　手続の経緯
　本願は、２０１３年（平成２５年）１月３１日（パリ条約による優先権主張外国庁受理　２０１２年１月３１日　米国、　２０１３年１月３１日　米国）を国際出願日とする特願２０１４−５５５７０４号の一部を平成２８年３月１１日に新たな特許出願としたものであって、その手続の経緯は、概略、以下のとおりである。
平成２８年１２月１５日付け：拒絶理由通知書
平成２９年３月３日　　　　：意見書、手続補正書の提出
平成２９年３月２９日付け　：拒絶査定
平成２９年８月３日　　　　：拒絶査定不服審判の請求、手続補正書の提出
　　　　　　　　　　　　　　（以下、この手続補正書による手続き補正を
　　　　　　　　　　　　　　「本件補正」という。）
第２　本件補正について
　平成２９年８月３日に審判請求と同時に提出された手続補正書により請求項１、２、６、７、１０、１１、１５、１６、１９、２０の「メトリックを判定」との記載を「メトリックを
取得
「●理由２（特許法第３６条第６項第２号）について
１．請求項１−２０に係る発明は、明確ではない。
　請求項に係る「サービス中の基地局及び複数の隣接セルの複数のメトリックを判定する」ことが、明確ではない。
　「サービス中の基地局及び複数の隣接セルの複数のメトリックを判定する」が、どのような判定か不明である。また、「取得する」こととの関係（違うか同じか、どちらかが他方を包含するか）が不明である。
●その他（補正により生じた拒絶理由）
　次の記載が、発明の詳細な説明に記載したものではない。
　「前記論理は、
　サービス中の基地局及び複数の隣接セルの複数のメトリックを判定し、
　前記複数のメトリックを複数の閾値と比較し、
　前記比較に基づいて、隣接セルサーチウィンドウの持続時間を調整し、
　前記隣接セルサーチウィンドウの間に複数の隣接セル測定を実行するように構成されている」
　メトリックの判定処理、メトリックの比較処理、比較に基づく調整処理、隣接セル測定の実行処理をすることが、発明の詳細な説明に記載されていない。最初の「メトリックの判定処理」が、記載されていない。」
　との理由を解消するためのもの、すなわち、明りょうでない記載の釈明を目的としたものに相当するものと認める。
第３　本願発明
　本願の請求項に係る発明は、平成２９年８月３日に提出された手続補正書により補正された特許請求の範囲の請求項１〜２０に記載された事項により特定されるものと認められるところ、その請求項１０に係る発明（以下、「本願発明」という。）は、以下のとおりのものと認める。
「モバイル装置を不連続受信モードで動作させる方法であって、
　前記モバイル装置において、
　サービス中の基地局及び複数の隣接セルの複数のメトリックを取得することと、
　前記複数のメトリックを複数の閾値と比較することと、
　前記比較に基づいて、隣接セルサーチウィンドウの持続時間を調整することと、
　前記隣接セルサーチウィンドウの間に複数の隣接セル測定を実行することと、
を含む、方法。」
第４　拒絶の理由
　原査定の拒絶の理由は、「この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」であり、請求項１０に対して特開２００４−２４２０１７号公報が引用されている。
第５　引用例の記載及び引用発明
　１　引用例の記載
　原査定の拒絶の理由で引用された特開２００４−２４２０１７号公報（以下「引用例」という。）には、以下の事項が記載されている。（下線は、当審で付した。）
（１）　「【０００６】
ところで、最近移動通信端末装置では連続待ち受け時間のさらなる延長が要求されている。そして、そのために間欠受信動作における消費電力をさらに低減する種々の方式が提案されている。
【０００７】
例えば第１の方式は、アクティブ基地局からの無線信号の受信レベルがしきい値未満の場合にのみ、同期確立先の基地局をアクティブ基地局から周辺基地局に切り替えるいわゆるリセレクションのための処理を実行するものである。すなわち、移動通信端末装置は、上記ＰＩＣＨの受信終了後に、アクティブ基地局からの無線信号の受信レベル検出値をしきい値と比較し、検出値がしきい値以上であればそのまま受信休止期間に移行する。
これに対し検出値がしきい値未満の場合には受信休止期間に移行せずに周辺基地局のサーチを行う。そして、このサーチにより検出された周辺基地局からの無線信号の受信レベル検出値を、上記アクティブ基地局からの無線信号の受信レベル検出値と比較し、アクティブ基地局よりも受信レベル検出値が所定レベル以上高い周辺基地局が見つかった場合に、リセレクションを実行する。
（２）　「【００２７】
【発明の実施の形態】
図１は、この発明に係わる移動通信システムの概略構成図である。
サービスエリアには複数の基地局ＢＳ１〜ＢＳ７が分散配置されており、これらの
基地局ＢＳ１〜ＢＳ７はそれぞれセルと呼ばれる無線ゾーンＥ１〜Ｅ７を形成している。
【００２８】
図２は、上記移動通信端末装置ＭＳのこの発明に係わる部分の構成を示すブロック図である。
（省略）
【００２９】〜【００３０】　（省略）
【００３１】
ＤＳＰ５は、アクティブ基地局品質検出機能５１と、周辺基地局品質検出機能５２と、品質判定機能５３とを備える。アクティブ基地局品質検出機能５１は、上記入力されたディジタル復調信号をもとに、アクティブ基地局から到来する無線信号の受信品質を検出する。周辺基地局品質検出機能５２は、上記入力されたディジタル復調信号をもとに、周辺の各基地局から到来する無線信号の受信品質をそれぞれ検出する。なお、受信品質は信号と雑音との比（Ｅｃ／Ｎｏ）として検出することができる。
【００３２】
品質判定機能５３は、上記アクティブ基地局品質検出機能５１により検出された受信品質Ｅｃ／Ｎｏ（Ａｃｔ）  を予め設定した第１及び第２のしきい値Ｑ１，Ｑ２（Ｑ１＞Ｑ２）と比較してその大小関係を判定する。また、上記Ｅｃ／Ｎｏ（Ａｃｔ）  ＜Ｑ２の場合に、上記アクティブ基地局品質検出機能５１により検出された受信品質Ｅｃ／Ｎｏ（Ａｃｔ）  と上記周辺基地局品質検出機能５２により検出された受信品質Ｅｃ／Ｎｏ（Ｍｏｎ）  との差を算出し、この算出された受信品質の差（Ｅｃ／Ｎｏ（Ａｃｔ）  −Ｅｃ／Ｎｏ（Ｍｏｎ）  ）をしきい値Ｑ３と比較してその大小関係を判定する。
【００３３】
中央制御ユニット（ＣＰＵ）６は、セル選択機能６１と、平均化シンボル数決定機能６２と、待ち受け間欠起床制御機能６３と、クロック制御機能６４と、電源制御機能６５とを備える。セル選択機能６１は、上記ＤＳＰ６から品質判定機能５３により得られた品質判定結果を取り込む。そして、この取り込まれた品質判定結果をもとにリセレクションのためのセルを選択する。
【００３４】
平均化シンボル数決定機能６２は、上記ＤＳＰ６の品質判定機能５３により得られた品質判定結果をもとに、次回の受信起床期間の受信品質測定動作において受信すべきシンボル数を決定する。
【００３５】
待ち受け間欠起床制御機能６３は、受信起床期間ごとにその開始タイミングを決定すると共に、
上記平均化シンボル数決定機能６２において設定された受信対象シンボル数を考慮して、次回の受信起床期間における受信品質測定期間の時間長を決定する。
【００３６】
クロック制御機能６４は、上記待ち受け間欠起床制御機能６３において決定されたタイミング情報に従い、上記復調回路４及びＤＳＰ５を上記決定された受信品質測定期間及びＰＩＣＨの受信期間のみ動作させるべく、上記復調回路４及びＤＳＰ５に対するクロックの供給タイミングを制御する。
【００３７】
電源制御機能６５は、上記待ち受け間欠起床制御機能６３において決定されたタイミング情報に従い、上記無線回路２及びＡ／Ｄ変換器３を上記決定された受信起床期間のみ動作させるべく、上記無線回路２及びＡ／Ｄ変換器３に対する電源供給タイミングを制御する。」
（３）　「【００３８】
次に、以上のように構成された移動通信端末装置ＭＳの動作を説明する。
先ず間欠受信動作の概要を説明する。
【００３９】
移動通信端末装置ＭＳは、待ち受け間欠起床制御機能６３により、システムで規定されたＤＲＸ＿Ｃｙｃｌｅと呼ばれる待ち受け周期（例えば１〜３秒）に従い、図３（ａ）に示すように受信起床期間と受信休止期間とを交互に繰り返す。
【００４０】
受信起床期間において移動通信端末装置ＭＳは、図３（ｂ）に示すように先ずウエークアップ動作（１）  を行う。このウエークアップ動作（１）  は、装置内の受信動作を行うために必要な回路部を動作可能な状態に立ち上げるもので、ＣＰＵ６及びＤＳＰ５の起床、クロック制御機能６４による各種クロック発生回路の起動、電源制御機能６５による無線回路２及びＡ／Ｄ変換器３への給電開始、復調回路４の初期設定の順に行われる。
【００４１】
このウエークアップ動作が終了すると移動通信端末装置ＭＳは、続いて受信タイミングの同定動作（２）  を行う。この受信タイミング同定動作（２）  では、先ずアクティブ基地局品質検出機能５１によりアクティブ基地局から到来する無線信号の受信品質の測定が行われる。この受信品質の測定は、ＲＡＫＥ合成部４２から出力される復調信号の複数の
シンボルの受信レベルをそれぞれ検出し、この検出された受信レベルの平均値を求めることにより行われる。この受信レベルの平均値がアクティブ基地局から到来する無線信号の受信品質Ｅｃ／Ｎｏ（Ａｃｔ）  となる。そして、この受信品質Ｅｃ／Ｎｏ（Ａｃｔ）  が検出されると、この検出された受信品質Ｅｃ／Ｎｏ（Ａｃｔ）  をもとに受信対象パスを選択し、この選択されたパスに対し受信タイミングの同定を行う。
【００４２】
次に移動通信端末装置ＭＳは、ＰＩＣＨの受信動作（３）  を行う。このＰＩＣＨの受信動作（３）  は、上記受信タイミングの同定動作（２）  により同定された受信タイミングにより復調回路４を動作させ、この復調回路４によりＰＩＣＨの信号を復調することにより行われる。そして、この復調されたＰＩＣＨの信号に自端末宛ての着信メッセージが挿入されているか否かをＣＰＵ６において判定する。
【００４３】
この判定の結果、自端末宛ての着信メッセージを検出した場合には引き続き着信制御のための受信動作を行う。これに対し、自端末宛ての着信メッセージが含まれていなかった場合には、受信休止期間に移行するための動作（９）  を行う。この受信休止期間への移行動作（９）  では、電源制御機能６５による無線回路２及びＡ／Ｄ変換器３への給電停止、次回の間欠起床タイミング等の設定と記憶、クロック制御機能６４による各種クロックの発生停止、ＣＰＵ６及びＤＳＰ５の停止の順に行われる。以後移動通信端末装置ＭＳは、低消費電力による受信休止動作に移行する。
【００４４】
また移動通信端末装置ＭＳは、上記受信休止期間への移行動作（９）  に先立ち、上記検出されたアクティブ基地局の受信品質Ｅｃ／Ｎｏ（Ａｃｔ）  をしきい値と比較する。そして、受信品質Ｅｃ／Ｎｏ（Ａｃｔ）  がしきい値に満たない場合には、図３（ｃ）に示すように周辺基地局から送信される無線信号の受信品質を測定するための動作を行う。
図３（ｃ）の例では、異なる３つの周辺基地局からの無線信号の受信品質を期間（４）  、（５）  及び（６）  でそれぞれ測定する場合を示している。
（４）　「【００４７】
ところで、上記
間欠受信動作において移動通信端末装置ＭＳは、受信起床期間の可変設定制御を以下のように実行する。
【００４８】
すなわち、移動通信端末装置ＭＳは、
ステップ４ａによりアクティブ基地局から到来する無線信号の受信品質Ｅｃ／Ｎｏ（Ａｃｔ）  を検出する
ステップ４ｂに移行し、品質判定機能５３により上記検出されたＥｃ／Ｎｏ（Ａｃｔ）  を予め設定されたしきい値Ｑ１，Ｑ２（Ｑ１＞Ｑ２）とそれぞれ比較する。
【００４９】
上記品質判定機能５３の比較結果が得られると移動通信端末装置ＭＳは、次に平均化シンボル数決定機能６２により、次回の受信起床期間の受信品質測定動作において受信すべきシンボル数を決定する処理を行う。
【００５０】〜【００５３】　（省略）
【００５４】
一方、
上記品質判定機能５３による比較判定結果が、Ｅｃ／Ｎｏ（Ａｃｔ）  ＜Ｑ２だったとする。この場合移動通信端末装置ＭＣはステップ４ｅに移行し
図３（ｃ）の期間（４）、（５）及び（６）において、周辺基地局品質検出機能５２により、周辺の基地局から到来する無線信号の受信品質Ｅｃ／Ｎｏ（Ｍｏｎ）  を検出する。
ステップ４ｇにより、上記算出された受信品質の差（Ｅｃ／Ｎｏ（Ａｃｔ）  −Ｅｃ／Ｎｏ（Ｍｏｎ）  ）をしきい値Ｑ３と比較し、その大小関係を判定する。
【００５５】
次に
移動通信端末装置ＭＳは、上記受信品質の差（Ｅｃ／Ｎｏ（Ａｃｔ）  −Ｅｃ／Ｎｏ（Ｍｏｎ）  ）としきい値Ｑ３との比較判定結果をもとに、平均化シンボル数決定機能６２により、次回の受信起床期間における受信品質測定動作において受信すべきシンボル数を決定する。
【００５６】
例えば、
（Ｅｃ／Ｎｏ（Ａｃｔ）  −Ｅｃ／Ｎｏ（Ｍｏｎ）  ）≧Ｑ３だった場合には、
ステップ４ｈに移行し、ここで次回の受信起床期間におけるアクティブ基地局についての受信品質測定動作（２）  の受信対象シンボル数Ｎ（Ａｃｔ）  、及び周辺基地局についての受信品質測定動作（４）  、（５）  及び（６）  の受信対象シンボル数Ｎ（Ｍｏｎ）  をそれぞれＮ２（＝４シンボル）に設定する。
【００５７】
したがって、
次回の受信起床期間において
また同様に、周辺基地局からの無線信号の受信品質を測定する動作（４）  、（５）  及び（６）  においても、周辺基地局から到来する無線信号の４シンボルが受信されることになり、この受信された４シンボルの受信レベルを平均化することにより受信品質Ｅｃ／Ｎｏ（Ｍｏｎ）  が求められる。
【００５８】
すなわち、アクティブ基地局からの無線信号の受信品質は劣化しているものの、周辺にリセレクション対象として適当な基地局が存在しない状態では、アクティブ基地局についての受信品質測定動作（２）  も、また周辺基地局についての受信品質測定動作（４）  、（５）  及び（６）  も、４シンボル相当の時間により行われることになる。このため、受信起床期間は短い長さに抑えられ、これにより装置の消費電力を低く抑えることができる。
【００５９】
これに対し、
（Ｅｃ／Ｎｏ（Ａｃｔ）  −Ｅｃ／Ｎｏ（Ｍｏｎ）  ）＜Ｑ３の場合には、
ステップ４ｉに移行し、ここで次回の受信起床期間におけるアクティブ基地局についての受信品質測定動作（２）  の受信対象シンボル数Ｎ（Ａｃｔ）  、及び周辺基地局についての受信品質測定動作（４）  、（５）  及び（６）  の受信対象シンボル数Ｎ（Ｍｏｎ）  をそれぞれＮ３（＝８シンボル）に設定する。
【００６０】
したがって、
次回の受信起床期間において
また同様に、周辺基地局からの無線信号の受信品質を測定する動作（４）  、（５）  及び（６）  においても、周辺基地局から到来する無線信号の８シンボルが受信されることになり、この受信された８シンボルの受信レベルを平均化することにより受信品質Ｅｃ／Ｎｏ（Ｍｏｎ）  が求められる。
【００６１】
すなわち、リセレクションが必要でかつ周辺にリセレクション対象として適当な基地局が存在する状況下にあっては、アクティブ基地局についての受信品質測定動作（２）  においても、また周辺基地局についての受信品質測定動作（４）  、（５）  及び（６）  においても、８シンボルの受信レベルの平均値を求めることにより、干渉や雑音の影響が十分に抑圧されて精度の高い受信品質測定値を得ることができる。したがって、アクティブ基地局と周辺基地局との間の受信品質測定値のばらつきを減らすことができ、これにより
リセレクション処理を的確に行うことが可能となる。
【００６２】
以上述べたようにこの実施形態では、受信起床期間ごとに、アクティブ基地局から到来する無線信号の受信品質をしきい値Ｑ１，Ｑ２をもとにＤＳＰ５により判定して、その判定結果に応じて次回の受信起床期間におけるアクティブ基地局の受信品質測定期間長をＣＰＵ６により可変設定するようにしている。また、アクティブ基地局から到来した無線信号の受信品質と周辺基地局から到来した無線信号の受信品質との差をしきい値Ｑ３をもとにＤＳＰ５で判定し、この判定結果に応じて次回の受信起床期間におけるアクティブ基地局及び周辺基地局についての受信品質測定期間長をＣＰＵ６により可変設定するようにしている。
【００６３】〜【００６６】　（省略）
【００６７】
なお、この発明は上記実施形態に限定されるものではない。例えば、前記実施形態では、Ｅｃ／Ｎｏ（Ａｃｔ）  、及びこのＥｃ／Ｎｏ（Ａｃｔ）  とＥｃ／Ｎｏ（Ｍｏｎ）  との差に応じて、受信起床期間長を合計３段階に可変設定する場合を例示した。しかし、受信起床期間長を４段階以上に可変設定するようにしてもよく、さらには予め設定した可変特性に応じてリニアに可変するようにしてもよい。
【００６８】
また、前記実施形態ではステップ４ｈ及びステップ４ｉにおいて、Ｎ（Ａｃｔ）  及びＮ（Ｍｏｎ）  を同一値（＝Ｎ３）に設定した場合を例示したが、Ｎ（Ａｃｔ）  及びＮ（Ｍｏｎ）  を異なる値に設定するようにしてもよい。」
（５）　図３
 
（６）　図４
　
　２　引用発明
（１）　上記１（３）段落００３８〜００３９の記載によると引用例に記載された「間欠受信動作」は不連続受信モードにおいて行われる動作であることは明らかであるから、引用例の上記１（４）、上記１（６）に記載された移動通信端末装置の間欠受信動作は、移動通信端末装置において行われる「移動通信端末装置を不連続受信モードで動作させる方法」といえる。
（２）　上記１（４）段落００４８の記載によると、引用例記載の方法は、アクティブ基地局から到来する無線信号の受信品質Ｅｃ／Ｎｏ（Ａｃｔ）  を検出する（ステップ４ａ）ことと、
　Ｅｃ／Ｎｏ（Ａｃｔ）  を予め設定されたしきい値Ｑ１，Ｑ２（Ｑ１＞Ｑ２）とそれぞれ比較する（ステップ４ｂ）ことを含むといえる。
（３）　上記１（３）段落００４４の記載によると、図３（ｃ）の期間（４）、（５）及び（６）は、異なる３つの周辺基地局からの無線信号の受信品質をそれぞれ測定する期間を示しているから、上記１（４）段落００５４の「上記品質判定機能５３による比較判定結果が、Ｅｃ／Ｎｏ（Ａｃｔ）  ＜Ｑ２だったとする。この場合移動通信端末装置ＭＣはステップ４ｅに移行し、図３（ｃ）の期間（４）、（５）及び（６）において、周辺基地局品質検出機能５２により、周辺の基地局から到来する無線信号の受信品質Ｅｃ／Ｎｏ（Ｍｏｎ）  を検出する。」との記載によると、引用例記載の方法は、Ｅｃ／Ｎｏ（Ａｃｔ）＜Ｑ２の場合、複数の周辺の基地局から到来する無線信号の受信品質Ｅｃ／Ｎｏ（Ｍｏｎ）をそれぞれ検出する（ステップ４ｅ）ことを含むといえる。
　また、上記１（４）段落００５４の「そして、ステップ４ｇにより、上記算出された受信品質の差（Ｅｃ／Ｎｏ（Ａｃｔ）  −Ｅｃ／Ｎｏ（Ｍｏｎ）  ）をしきい値Ｑ３と比較し、その大小関係を判定する。」との記載によると、引用例記載の方法は、受信品質の差（Ｅｃ／Ｎｏ（Ａｃｔ）−Ｅｃ／Ｎｏ（Ｍｏｎ））をしきい値Ｑ３と比較する（ステップ４ｇ）ことを含むといえる。
（４）　上記１（４）段落００５５〜００５６、００５９の記載によると、引用例記載の方法は、（Ｅｃ／Ｎｏ（Ａｃｔ）−Ｅｃ／Ｎｏ（Ｍｏｎ））としきい値Ｑ３との比較判定結果結果をもとに、次回の受信起床期間における周辺基地局についての受信品質測定動作（４）、（５）及び（６）の受信対象シンボル数Ｎ（Ｍｏｎ）をそれぞれＮ２（＝４シンボル）又は、それぞれＮ３（＝８シンボル）に設定する（ステップ４ｈ、４ｉ）ことを含むといえる。
（５）　上記１（４）段落００５７、００６０の記載によると、引用例記載の方法は、次回の受信起床期間において、周辺基地局からの無線信号の受信品質を測定する動作（４）、（５）及び（６）において、周辺基地局から到来する無線信号の設定されたシンボル数Ｎ（Ｍｏｎ）のシンボルが受信されることになり、この受信された設定されたシンボル数のシンボルの受信レベルを平均化することにより受信品質Ｅｃ／Ｎｏ（Ｍｏｎ）  が求められることを含むといえる。
　以上を踏まえると、引用例には、以下の発明（以下、「引用発明」という。）が記載されていると認める。
　「移動通信端末装置を不連続受信モードで動作させる方法であって、
　移動通信端末装置において、
　アクティブ基地局から到来する無線信号の受信品質Ｅｃ／Ｎｏ（Ａｃｔ）を検出することと、
　Ｅｃ／Ｎｏ（Ａｃｔ）を予め設定されたしきい値Ｑ１，Ｑ２（Ｑ１＞Ｑ２）とそれぞれ比較することと、
　Ｅｃ／Ｎｏ（Ａｃｔ）＜Ｑ２の場合、複数の周辺の基地局から到来する無線信号の受信品質Ｅｃ／Ｎｏ（Ｍｏｎ）をそれぞれ検出することと、
　受信品質の差（Ｅｃ／Ｎｏ（Ａｃｔ）−Ｅｃ／Ｎｏ（Ｍｏｎ））をしきい値Ｑ３と比較することと、
　（Ｅｃ／Ｎｏ（Ａｃｔ）−Ｅｃ／Ｎｏ（Ｍｏｎ））としきい値Ｑ３との比較判定結果結果をもとに、次回の受信起床期間における周辺基地局についての受信品質測定動作（４）、（５）及び（６）の受信対象シンボル数Ｎ（Ｍｏｎ）をそれぞれＮ２（＝４シンボル）又は、それぞれＮ３（＝８シンボル）に設定することと、
　次回の受信起床期間において、周辺基地局からの無線信号の受信品質を測定する動作（４）、（５）及び（６）において、周辺基地局から到来する無線信号の設定された受信対象シンボル数Ｎ（Ｍｏｎ）のシンボルが受信されることになり、この受信された設定されたシンボル数のシンボルの受信レベルを平均化することにより受信品質Ｅｃ／Ｎｏ（Ｍｏｎ）が求められることと、
　を含む方法。」
第６　対比
　本願発明と引用発明とを対比すると、以下のとおりとなる。
　１　引用発明の「移動通信端末装置」は、本願発明の「モバイル装置」に相当するから、引用発明は「モバイル装置を不連続受信モードで動作させる方法」といえる点で、本願発明と共通する。
　２　引用発明の「アクティブ基地局」は、本願発明の「サービス中の基地局」に相当するから、引用発明の「アクティブ基地局から到来する無線信号の受信品質Ｅｃ／Ｎｏ（Ａｃｔ）」は、本願発明の「サービス中の基地局」のメトリックに相当する。
　また、上記第５　１（２）段落００２７によると、それぞれの基地局はセルと呼ばれる無線ゾーンを形成し、引用発明の「周辺基地局」は周辺セル、すなわち隣接セルを形成する基地局を意味するから、引用発明の、それぞれ検出される「複数の周辺の基地局から到来する無線信号の受信品質Ｅｃ／Ｎｏ（Ｍｏｎ）」は、本願発明の「複数の隣接セルの複数のメトリック」に相当する。
　してみると、「アクティブ基地局から到来する無線信号の受信品質Ｅｃ／Ｎｏ（Ａｃｔ）を検出することと、」「Ｅｃ／Ｎｏ（Ａｃｔ）＜Ｑ２の場合、複数の周辺の基地局から到来する無線信号の受信品質Ｅｃ／Ｎｏ（Ｍｏｎ）  をそれぞれ検出することと、」を含む引用発明は、「サービス中の基地局及び複数の隣接セルの複数のメトリックを取得すること」を含む点で本願発明と一致する。
　３　引用発明のしきい値Ｑ１，Ｑ２、値Ｑ３は複数の閾値といえるから、「Ｅｃ／Ｎｏ（Ａｃｔ）を予め設定されたしきい値Ｑ１，Ｑ２（Ｑ１＞Ｑ２）とそれぞれ比較することと、」「受信品質の差（Ｅｃ／Ｎｏ（Ａｃｔ）−Ｅｃ／Ｎｏ（Ｍｏｎ））をしきい値Ｑ３と比較することと、」を含む引用発明は、「前記複数のメトリックを複数の閾値と比較すること」を含む点で本願発明と一致する。
　４　引用発明の「複数の周辺の基地局から到来する無線信号の受信品質Ｅｃ／Ｎｏ（Ｍｏｎ）  をそれぞれ検出すること」は、本願発明の「複数の隣接セル測定を実行すること」に相当する。
　また、受信品質測定動作（４）、（５）及び（６）において、周辺基地局からの無線信号の受信品質Ｅｃ／Ｎｏ（Ｍｏｎ）を測定する際のパラメータといえる引用発明の「受信対象シンボル数Ｎ（Ｍｏｎ）」は、「複数の隣接セル測定を実行する際のパラメータ」といえる点で、本願発明の、持続時間によって特定される「隣接セルサーチウィンドウ」と共通する。
　してみると、「（Ｅｃ／Ｎｏ（Ａｃｔ）−Ｅｃ／Ｎｏ（Ｍｏｎ））としきい値Ｑ３との比較判定結果結果をもとに、次回の受信起床期間における周辺基地局についての受信品質測定動作（４）、（５）及び（６）の受信対象シンボル数Ｎ（Ｍｏｎ）をそれぞれＮ２（＝４シンボル）又は、それぞれＮ３（＝８シンボル）に設定することと、
　次回の受信起床期間において、周辺基地局からの無線信号の受信品質を測定する動作（４）、（５）及び（６）において、周辺基地局から到来する無線信号の設定された受信対象シンボル数Ｎ（Ｍｏｎ）のシンボルが受信されることになり、この受信された設定されたシンボル数のシンボルの受信レベルを平均化することにより受信品質Ｅｃ／Ｎｏ（Ｍｏｎ）が求められることと、」を含む引用発明は、
「前記比較に基づいて、複数の隣接セル測定を実行する際のパラメータを調整することと、
　前記隣接セル測定を実行する際のパラメータに基づいて複数の隣接セル測定を実行することと、」を含むといえる点で本願発明と共通する。
　以上を踏まえると、本願発明と引用発明とは以下の点で一致し、相違する。
「モバイル装置を不連続受信モードで動作させる方法であって、
　前記モバイル装置において、
　サービス中の基地局及び複数の隣接セルの複数のメトリックを取得することと、
　前記複数のメトリックを複数の閾値と比較することと、
　前記比較に基づいて、複数の隣接セル測定を実行する際のパラメータを調整することと、
　前記隣接セル測定を実行する際のパラメータに基づいて複数の隣接セル測定を実行することと、
を含む、方法。」
相違点
　一致点とした「複数の隣接セル測定を実行する際のパラメータ」が、本願発明では持続時間により特定される「隣接セルサーチウィンドウ」であるのに対し、引用発明では「受信対象シンボル数Ｎ（Ｍｏｎ）」であり、また、一致点とした「複数の隣接セル測定を実行すること」が　本願発明では持続時間が調整された「前記隣接セルサーチウィンドウの間に」行われるのに対し、引用発明は、「設定された受信対象シンボル数Ｎ（Ｍｏｎ）のシンボルが受信されること」により行われる点。
第７　判断
　引用例には、周辺基地局からの無線信号の受信レベル検出値を得ることを「サーチ」と呼称すること（上記第５　１（１）段落０００７）が記載されているから、引用発明の「周辺基地局からの無線信号の受信品質を測定する動作」は「隣接セルサーチ」動作といえ、また、当該動作を行う期間は「隣接セルサーチウィンドウ」といえる。
　また、引用例には「受信対象シンボル数を考慮して、次回の受信起床期間における受信品質測定期間の時間長を決定する」（上記第５　１（２）の段落００３５）と記載されている。
　そして、引用例に記載された上記受信品質測定期間は、アクティブ基地局、及び周辺基地局の双方を受信品質測定対象としているが、アクティブ基地局から到来する無線信号の受信品質測定結果であるＥｃ／Ｎｏ（Ａｃｔ）としきい値Ｑ２と比較結果に応じて行われる周辺基地局の受信品質測定動作を、アクティブ基地局の受信品質測定動作と分けて制御することは当業者が適宜なし得る事項といえるから、引用発明において、複数の周辺の基地局から到来する無線信号の受信品質Ｅｃ／Ｎｏ（Ｍｏｎ）を検出するために設定、すなわち調節される受信対象シンボル数Ｎ（Ｍｏｎ）に基づいて、複数の周辺の基地局が形成する隣接セルについてのみの受信品質測定期間の時間長、すなわち「隣接セルサーチウィンドウの持続時間」を調節し、前記隣接セルサーチウィンドウの間に複数の隣接セル測定を実行することは、当業者が容易に想到し得る事項といえる。
第８　むすび
　以上のとおり、本願発明は、特許法第２９条第２項の規定により特許を受けることができないから、他の請求項について検討するまでもなく、本願は拒絶されるべきものである。
　よって、結論のとおり審決する。